(57)【要約】【課題】ネットワークケーブルの挿抜作業でポート誤認識による事故を防止し、作業を効率化するネットワーク装置を提供する。【解決手段】複数のポートを有するネットワーク装置は、各ポートに対応したインジケータランプと、文字列を表示可能なディスプレイと、インジケータランプの点灯および消灯、並びにディスプレイに文字列を表示させる制御手段とを備えている。また、ネットワーク装置に関する設定情報が保持されたデータベースをさらに備え、データベースに対してポートの検索を行い、検索されたポートに対応するインジケータランプを点灯および消灯させる、並びに検索と関連した内容をディスプレイに表示させることもできる。【選択図】図１
2010220161.tif 000002
【特許請求の範囲】
【請求項１】
複数のポートを有するネットワーク装置であって、
前記各ポートに対応したインジケータランプと、
文字列を表示可能なディスプレイと、
前記インジケータランプを点灯および消灯させる、並びに前記ディスプレイに文字列を表示させる制御手段と、
を備えていることを特徴とするネットワーク装置。
【請求項２】
前記ネットワーク装置に関する設定情報が保持されたデータベースをさらに備え、
前記制御手段は、前記データベースに対して前記ポートの検索を行い、検索されたポートに対応する前記インジケータランプを点灯および消灯させる、並びに検索と関連した内容を前記ディスプレイに表示させることを特徴とする請求項１に記載のネットワーク装置。
【請求項３】
制御ネットワークに接続可能なマネジメントポートをさらに備え、
前記制御手段は、前記制御ネットワークを経由して、前記マネジメントポートに接続された管理ツールであることを特徴とする請求項１また２に記載のネットワーク装置。
【請求項４】
前記ポートに接続されたケーブルの物理的な導通およびその状態を取得し、前記ディスプレイに表示する手段をさらに備えていることを特徴とする請求項１から３のいずれか１項に記載のネットワーク装置。
【請求項５】
前記ポートに接続されたケーブルの論理的な状態を取得し、前記ディスプレイに表示する手段をさらに備えていることを特徴とする請求項１から４のいずれか１項に記載のネットワーク装置。
【発明の詳細な説明】
【技術分野】
【０００１】
本発明は、ネットワーク装置に関する。より詳細には、ネットワークケーブルの挿抜作業におけるポート誤認識による事故を防止し、作業を効率化する、多数のポートを持つ中規模以上のネットワーク装置に関する。
【背景技術】
【０００２】
従来のネットワーク装置では、作業対象を確認させるため、特定のポート、シャーシに対応するインジケータランプを点滅させていた。非特許文献１および２に記載のＣｉｓｃｏ社ＮＸ−ＯＳのＢｌｕｅＢｅａｃｏｎ機能では、ローカルの管理者がトラブルシューティングや交換を行うハードウェアをすぐに識別できるように、ハードウェアコンポーネントのＬＥＤを点滅させておくことができる。ここでは、シャーシ、ファン、選択したモジュール、電源、クロスバー・モジュールのＬＥＤを点滅させることができる。
【０００３】
また、非特許文献３に記載のＳｐｉｒｅｎｔ社のＳＰＴ−９０００Ａは、フロントの小型液晶ディスプレイへ各搭載シャーシのＩＰアドレス、Ｇａｔｅｗａｙ、温度、簡易的なエラーまたは状態情報などを順番に表示させる機能を有していた。
【先行技術文献】
【非特許文献】
【０００４】
【非特許文献１】Blue beacon、[online]、[平成２１年３月１３日検索]、インターネット(URL:http://docwiki.cisco.com/wiki/Cisco_Nexus_7000_Series_NX-OS_Troubleshooting_Guide%2C_Release_4.x_--_Troubleshooting_Tools_and_Methodology#Using_the_Blue_Beacon_Feature)
【非特許文献２】Blue beacon、[online]、[平成２１年３月１３日検索]、インターネット(URL:http://www.cisco.com/japanese/warp/public/3/jp/service/manual_j/sw/nex/nxtsg/appendixB/15807_01_appendixb.pdf)
【非特許文献３】Spirent SPT-9000A、[online]、[平成２１年３月１３日検索]、インターネット(URL:http://www.paralink.com.tw/product/spirent/pdf/Spirent%20TestCenter%20SPT-2000A,%20SPT-5000A%20&%20SPT-9000A%20Chassis.pdf)
【発明の概要】
【発明が解決しようとする課題】
【０００５】
しかしながら、非特許文献１および２に記載のネットワーク装置では、多数のポートを持つ中規模以上になるとネットワークケーブルの挿抜を伴う作業において、遠隔地のオペレータからの指示はインジケータランプによって行うことしかできず、作業者へ情報を正確に伝えることができない。そのため、ネットワークケーブルの誤挿抜による事故を十分に防ぐことができなかった。また、非特許文献３に記載のネットワーク装置における液晶ディスプレイの表示は、各種情報を順番に表示させるのみで、挿入されたケーブルの情報を表示させるものでない。このため、ゲーブルの誤挿入は、別途導通試験を行った後に初めて検出され、作業効率は良くなかった。
【０００６】
従って、本発明は、ネットワークケーブルの挿抜作業でポート誤認識による事故を防止し、作業を効率化するネットワーク装置を提供することを目的とする。
【課題を解決するための手段】
【０００７】
上記目的を実現するため本発明によるネットワーク装置は、複数のポートを有するネットワーク装置であって、前記各ポートに対応したインジケータランプと、文字列を表示可能なディスプレイと、前記インジケータランプを点灯および消灯させる、並びに前記ディスプレイに文字列を表示させる制御手段とを備えている。
【０００８】
また、前記ネットワーク装置に関する設定情報が保持されたデータベースをさらに備え、前記制御手段は、前記データベースに対して前記ポートの検索を行い、検索されたポートに対応する前記インジケータランプを点灯および消灯させる、並びに検索と関連した内容を前記ディスプレイに表示させることも好ましい。
【０００９】
また、制御ネットワークに接続可能なマネジメントポートをさらに備え、前記制御手段は、前記制御ネットワークを経由して、前記マネジメントポートに接続された管理ツールであることも好ましい。
【００１０】
また、前記ポートに接続されたケーブルの物理的な導通およびその状態を取得し、前記ディスプレイに表示する手段をさらに備えていることも好ましい。
【００１１】
また、前記ポートに接続されたケーブルの論理的な状態を取得し、前記ディスプレイに表示する手段をさらに備えていることも好ましい。
【発明の効果】
【００１２】
本発明により、ネットワーク装置に組み込まれた小型のディスプレイと各ポートに設置されたインジケータランプで遠隔地のオペレータからの指示を作業者へ正確に伝えることができ、ネットワークケーブルの誤挿抜による事故の防止が実現され、同時に、ケーブル挿入後の導通試験を簡易に行うことができ、作業の効率化が実現される。
【図面の簡単な説明】
【００１３】
【図１】本発明によるネットワーク装置の概要を示す。
【図２】本発明によるネットワーク装置の第１の使用例のシーケンス図を示す。
【図３】本発明によるネットワーク装置の第２の使用例のシーケンス図を示す。
【図４】本発明によるネットワーク装置の第３の使用例のシーケンス図を示す。
【発明を実施するための形態】
【００１４】
本発明を実施するための最良の実施形態について、以下では図面を用いて詳細に説明する。図１は、本発明によるネットワーク装置の概要を示す。ネットワーク装置１は、ネットワークケーブルを挿入するためのポート１１、各ポートに対応し、上部または下部などポートの周囲に配置されたインジケータランプ１２、少なくとも文字列が表示可能な小型ディスプレイ１３、およびマネジメントポート１４から構成されている。マネジメントポート１４には、インジケータランプ１２および小型ディスプレイ１３を制御可能な管理ツール１５が、制御ネットワーク１７を介して遠隔地に接続されている。管理ツール１５は、ｔｅｌｎｅｔなどのターミナル、またはＥＭＳなどのツールなどでネットワーク装置１を制御できる。また、管理ツール１５は、ネットワーク装置１に関する設定情報が保持されたデータベース１６にアクセスすることも可能である。
【００１５】
管理ツール１５は、ネットワーク装置１に対して以下の命令を行うことができる。
１．任意のポート１１に対応するインジケータランプ１２を点灯および消灯させる。この命令は任意の数のインジケータランプ１２に対して同時に行える。
２．小型ディスプレイ１３に任意の文字列を表示させる。また、任意の時間に表示内容の変更を行える。
３．データベースに対して、種々の条件による検索を行い、条件に一致するポート１１に対応するインジケータランプ１２を一括して操作（点灯および消灯）し、同時に検索と関連した内容を小型ディスプレイ１３に連携して表示させる。
４．ポート１１にネットワークケーブルが挿入された場合、ケーブルの信号強度や損失量などの情報を小型ディスプレイ１３に表示し、物理的な導通とその状態を確認する。
５．ネットワークケーブルが挿入されているポート１１に対して、フレームのタイプを指定し、該当するフレームに含まれるオブジェクトの値を小型ディスプレイ１３に表示し、回線の論理的な導通とその状態を確認する。
【００１６】
図２は、本発明によるネットワーク装置の第１の使用例のシーケンス図を示す。本例では、ＶＬＡＮ  ＩＤによるポートの識別を示す。
【００１７】
Ａ社の利用する専用線サービスＳｅｒｖｉｃｅ＿Ａには、ポートＶＬＡＮでＩＤ  ２００９番が割り当てられていた。この度、Ａ社はＳｅｒｖｉｃｅ＿Ａを停止することになり、これによって、データが流れないケーブルが生じたため、運用効率の観点から該当するケーブルを撤去することになった。撤去対象のケーブルを以下のように特定して、作業者に通知することができる。
【００１８】
２１．管理ツール１５において、ＶＬＡＮ  ＩＤ  ２００９が割り当てられたポートを検索する。
２２．管理ツール１５は、検索されたポート１１に対応するインジケータランプ１２の点灯を命令する。ネットワーク装置１は、命令されたインジケータランプ１２を点灯する。
２３．また、管理ツール１５は、ＶＬＡＮ  ＩＤ  ２００９に対応するサービス名Ｓｅｒｖｉｃｅ＿Ａの表示を命令する。ネットワーク装置１は、命令されたサービス名を小型ディスプレイ１３に表示する。
【００１９】
２４．現地の作業者は、ネットワーク装置１の小型ディスプレイ１３に表示された内容を目視し、ＶＬＡＮ  ＩＤ  ２００９およびサービス名Ｓｅｒｖｉｃｅ＿Ａが表示されたネットワーク装置１を発見することができる。そして、そのネットワーク装置１の点灯しているインジケータランプ１２に対応しているポート１１に接続されているケーブルを抜くことにより不要なケーブルを撤去できる。
【００２０】
以上のように、本発明のネットワーク装置１を用いることによって、作業が必要なネットワーク装置１を容易に発見することが可能になり、このネットワーク装置１での作業が必要なポート１１がインジケータランプ１２の点灯により判別でき、ポート誤認識による事故を防止できる。
【００２１】
図３は、本発明によるネットワーク装置の第２の使用例のシーケンス図を示す。本例では、回線増設時の導通確認試験を示す。
【００２２】
３１．ある局舎において、新規サービスの開設に伴い、装置間の回線を増設することになった。現地の装置作業者Ａは、管理ツール１５を操作している作業者Ｂに、新規の回線を接続するポート１１を指示するように伝えた。
３２．作業者Ｂは、管理ツール１５により対象ポート１１のインジケータランプ１２の点灯を命令する。ネットワーク装置１は、命令されたインジケータランプ１２を点灯する。
３３．また、作業者Ｂは、管理ツール１５により、新規の回線のポート番号（ｇｅ−２／４／１０）の表示を命令する。ネットワーク装置１は、小型ディスプレイ１３にポート番号（ｇｅ−２／４／１０）を表示する。
３４．作業者Ａは、インジケータランプ１２の点灯したポート１１と、小型ディスプレイ１３に表示されたポート１１が一致することを確認し、このポート１１にケーブルを接続する。
３５．作業者Ａは、小型ディスプレイ１３に表示された接続したケーブルの光信号の強度（ｄｂｍ）と通信方式を確認した。
作業者Ａが小型ディスプレイ１３の表示を確認すると、信号強度の値は問題なかったが、通信方式が“ｈａｌｆ−ｄｕｐｌｅｘ”と表示されていた。そのため、作業者Ａはポートの設定を調べ、Ａｕｔｏ−ＭＤＩ機能がオフになっていたことは発見し、修正した。
再度、作業者Ａが小型ディスプレイ１３の表示を確認すると、今度は問題なく“ｆｕｌｌ−ｄｕｐｌｅｘ”と表示されていた。
【００２３】
以上のように、本発明のネットワーク装置１では、作業が必要なポート１１をインジケータランプ１２の点灯により判別でき、ポート誤認識による事故を防止できる。さらに、ネットワークの物理的接続状態をすぐに確認することができ、作業を効率化できる。
【００２４】
図４は、本発明によるネットワーク装置の第３の使用例のシーケンス図を示す。本例では、サービスの新規開設に向けたＬＳＰ（Label Switched Path）の追加作業を示す。
【００２５】
ある局舎において、サービスの新規開設に向けたＬＳＰの増設作業をすることになった。上記第２の使用例と同じ方法（４１から４４）によって、ケーブルを接続し、回線を増設する。
【００２６】
４５．管理ツール１５の作業者Ｂは、新たなＬＳＰの設定をネットワーク装置１に追加した。ネットワーク装置１は、ＲＳＶＰ、ＬＤＰなどのＫｅｅｐ−ａｌｉｖｅメッセージが相互にやり取りされていることを検知し、小型ディスプレイ１３に各セッションの状態を表示する。
４６．装置作業者Ａは、小型ディスプレイ１３を目視したところ、全てのセッションがＵｐ状態であることを確認できた。
４７．作業者Ｂは管理ツール１５を操作し、ネットワーク装置１にＲＲＯ（Record Route Object）とＥＲＯ（Explicit Route Object）の内容表示を命令した。ネットワーク装置１は、ＲＲＯとＥＲＯの内容を小型ディスプレイ１３に表示する。
４８．装置作業者Ａは、小型ディスプレイ１３に表示された値と、予め決められていたＬＳＰの経路情報を比較し、ＬＳＰの経路設定が正しいことを確認した。
【００２７】
以上のように、本発明のネットワーク装置１では、ネットワークの論理的接続状態をすぐに確認することができ、作業を効率化できる。
【００２８】
なお、上記実施形態では、インジケータランプ１２はポート１１の上部または下部に配置されていたが、この形態に限定されない。例えば、ポート１１の左右に配置することも考えられる。また、点灯によりポート１１を指示できるのであれば、ポート１１を示す番号の内部、または、ポート１１の内部にインジケータランプ１２を設定することも可能である。
【００２９】
また、マネジメントポート１４は、外部と通信できるものであれば、別のものとすることも可能である。例えば、メモリーカードスロットとし、メモリーカードカード経由でネットワーク装置１を制御することも可能である。
【００３０】
また、データベース１６は、管理ツール１５と接続されているが、管理ツール１５がアクセスできるならば、管理ツール１５と同じところにある必要はない。例えば、ネットワーク装置１に内蔵されることも可能である。
【００３１】
また、以上述べた実施形態は全て本発明を例示的に示すものであって限定的に示すものではなく、本発明は他の種々の変形態様および変更態様で実施することができる。従って本発明の範囲は特許請求の範囲およびその均等範囲によってのみ規定されるものである。
【符号の説明】
【００３２】
１  ネットワーク装置
１１  ポート
１２  インジケータランプ
１３  小型ディスプレイ
１４  マネジメントポート
１５  管理ツール
１６  データベース
１７  制御ネットワーク
【図１】
2010220161.tif 000003
【図２】
2010220161.tif 000004
【図３】
2010220161.tif 000005
【図４】
2010220161.tif 000006